(57)【要約】【課題】昇降式の収容棚の昇降機構に不具合が発生した際に収容棚がいきなり自然落下することを防止すると共にトイレ等の狭い空間内における騒音の低減を図るようにした収容棚の昇降機構を提供する。【解決手段】前面が開口した収容棚１４と、収容棚を所定の上限位置と下限位置との間で昇降させる昇降機構３１と、収容棚とは独立して支持され収容棚の上限位置で当該収容棚の前面を覆う前板１２とを有し、昇降機構３１は、モータ３２と、モータの駆動力を収容棚に伝達して昇降させる駆動力伝達手段３６と、モータ及び駆動力伝達手段と独立して配置され上限位置と下限位置との間で収容棚を支持する定荷重ばね４４とを備えた構成としている。【選択図】図３
2008229189.tif 000002
【特許請求の範囲】
【請求項１】
前面が開口した収容棚と、
前記収容棚を所定の上限位置と下限位置との間で昇降させる昇降機構と、
前記収容棚とは独立して支持され、前記収容棚の上限位置で当該収容棚の前面を覆う前板とを有し、
前記昇降機構は、モータと、当該モータの駆動力を前記収容棚に伝達して当該収容棚を昇降させる駆動力伝達手段と、前記モータ及び駆動力伝達手段と独立して配置され前記上限位置と下限位置との間で前記収容棚を支持する定荷重ばねとを備えたことを特徴とする収容棚の昇降機構。
【請求項２】
前記昇降機構は前記定荷重ばねが破断した際に前記モータ内の磁気抵抗を介して前記収容棚が自然落下することを防止するようにしたことを特徴とする、請求項１に記載の収容棚の昇降機構。
【請求項３】
前記モータから前記駆動力伝達手段を介して前記収容棚に伝達させる駆動力が解放されたときに前記定荷重ばねにより前記収容棚の自然落下を防止するようにしたことを特徴とする、請求項１に記載の収容棚の昇降機構。
【発明の詳細な説明】
【技術分野】
【０００１】
本発明は、トイレや台所、玄関等に設置されて収納物を収容する収容棚の昇降機構に関する。
【背景技術】
【０００２】
室内例えば台所やトイレ、玄関等に適用されている電動式の収容棚として、室内の壁の上部に取り付けた外箱に電動式昇降機構により上下動する収容棚を設け、収容棚の上限位置において前面の開口部を覆う目隠し用の前板を設けた構造のものが従来から知られている（例えば、特許文献１参照）。
【特許文献１】特開２００４−１８７７６８号公報（図２、３頁）
【発明の開示】
【発明が解決しようとする課題】
【０００３】
上述したような従来の収容棚に昇降機構を備えた場合、モータにより収容棚を昇降させるように構成するのが一般的であるため、モータが故障した場合に収容棚が自然落下して収容棚の下方に配置されている物を破損したり、或いは収容棚に収納されている収納物が飛散して当該収納物や周囲の物を破損するおそれがある。
【０００４】
更に昇降機構をモータの駆動力のみで昇降動作させているために大きな駆動トルクが必要となり、モータが大型化してこれに伴い昇降機構が大きくなると共に騒音や振動が大きくなり居住環境として好ましくない。特にトイレ等の狭い空間においては昇降機構の大型化は好ましくない上にモータの音が耳障りとなる。
【０００５】
本発明の目的は、昇降式の収容棚の昇降機構に不具合が発生した際に収容棚がいきなり自然落下することを防止すると共にトイレ等の狭い空間内における騒音の低減を図るようにした収容棚の昇降機構を提供することにある。
【課題を解決するための手段】
【０００６】
上述した課題を解決するために、本発明に係る収容棚の昇降機構は、
前面が開口した収容棚と、
前記収容棚を所定の上限位置と下限位置との間で昇降させる昇降機構と、
前記収容棚とは独立して支持され、前記収容棚の上限位置で当該収容棚の前面を覆う前板とを有し、
前記昇降機構は、モータと、当該モータの駆動力を前記収容棚に伝達して当該収容棚を昇降させる駆動力伝達手段と、前記モータ及び駆動力伝達手段と独立して配置され前記上限位置と下限位置との間で前記収容棚を支持する定荷重ばねとを備えたことを特徴としている。
【０００７】
昇降機構は、モータの駆動力を収容棚に伝達して昇降させる駆動力伝達手段と、これらのモータ及び駆動力伝達手段と独立して配置され上限位置と下限位置との間で収容棚を支持する定荷重ばねとによるハイブリッドの構成とされている。収容棚は、通常の状態において昇降機構により上限位置に上昇されており、開口部が前板により目隠しされて見栄えが良くなっている。この上限位置においてモータは停止しており、駆動力伝達手段を介して収容棚を上限位置に保持している。同時に定荷重ばねが収容棚を支持している。
【０００８】
これにより、モータや駆動力伝達手段に不具合が生じて収容棚の支持力が低下したり或いは収容棚を支持することができなくなった場合でも定荷重ばねにより収容棚が支持されていきなり自然落下することが防止される。また、定荷重ばねに不具合が生じてばね力が低下し或いは失われた場合でもモータや駆動力伝達手段により収容棚が支持されて自然落下することが防止される。
【０００９】
また、収容棚内に収容されている必要な物を取り出す場合或いは収容する場合、使用者が昇降機構の下降スイッチを操作すると、モータが駆動して駆動力伝達手段を介して収容棚を下降させる。このとき定荷重ばねは、ばね力により収容棚の自重による負荷を軽減させるように作用する。これにより、モータの負荷が軽減される。収容棚が下限位置まで下降すると当該下限位置に停止する。収容棚は、この下限位置において開口部の上端が前板の下端近傍に位置して開口する。そして、使用者が収容棚から必要な物を取り出し、或いは収容する。
【００１０】
使用者が収容棚を元の位置に戻すべく昇降機構の上昇スイッチを操作すると収容棚が上昇する。昇降機構は、上昇スイッチを押すと自動的に収容棚が上昇して上限位置に停止する仕組みになっている。定荷重ばねは、収容棚が上昇する際にそのばね力により収容棚を引き上げる作用をする。これにより、モータの負荷が軽減される。
【００１１】
また、本発明の請求項２に記載の収容棚の昇降機構は、請求項１に記載の収容棚の昇降機構において、
前記昇降機構は前記定荷重ばねが破断した際に前記モータ内の磁気抵抗を介して前記収容棚が自然落下することを防止するようにしたことを特徴としている。
【００１２】
定荷重ばねが破断して収容棚を支持するばね力が失われた場合、モータ内の磁気抵抗により収容棚が下降する方向のモータの回転力が抑えられ、駆動力伝達手段を介して収容棚を支持して当該収容棚がいきなり自然落下することを防止する。
【００１３】
また、本発明の請求項３に記載の収容棚の昇降機構は、請求項１に記載の収容棚の昇降機構において、
前記モータから前記駆動力伝達手段を介して前記収容棚に伝達させる駆動力が解放されたときに前記定荷重ばねにより前記収容棚の自然落下を防止するようにしたことを特徴としている。
【００１４】
モータの故障や駆動力伝達手段の破損等により収容棚に伝達させる駆動力が解放されたときには、定荷重ばねのばね力により収容棚を支持して当該収容棚がいきなり自然落下することを防止する。
【発明の効果】
【００１５】
本発明によると、昇降機構を、モータと当該モータの駆動力を収容棚に伝達して昇降させる駆動力伝達手段と、これらのモータ及び駆動力伝達手段と独立して配置され上限位置と下限位置との間で収容棚を支持する定荷重ばねとによりハイブリッドの構成としたことで、モータや駆動力伝達手段に何らかの不具合が生じて収容棚の支持力が低下したり収容棚を支持することができなくなった場合でも、収容棚が定荷重ばねにより支持されて当該収容棚がいきなり自然落下することを防止することができる。また、定荷重ばねに不具合が生じてばね力が低下し或いは失われた場合でもモータ及び駆動力伝達手段により収容棚が支持されて自然落下することを防止することができる。
【００１６】
また、昇降機構にモータと定荷重ばねを併用することにより収容棚を昇降させるために必要なモータのトルクを下げることが可能となり、モータの小型化を図ることできコストの低減が図られる。また、モータと併用することにより定荷重ばねのスペックを小さくすることができ、定荷重ばねの小型化及びコストの低減が図られる。
【００１７】
更に、モータの小型化と定荷重ばねの小型化に伴い昇降機構を小型化することが可能となり、この分収容棚の収納スペースを広くすることができる。また、昇降機構を小型化することで収容棚を壁面の上部位置に配置し易くなり、スペースの有効利用を図ることが可能となる。また、モータの小型化に伴いモータの音を小さくすることができ室内の低騒音化を図ることが可能となる。これにより、特にトイレ等の狭い空間におけるスペースの有効利用やモータ音による耳障りを少なくすることが可能となる。
【発明を実施するための最良の形態】
【００１８】
以下、本発明の一実施形態に係る収容棚の昇降機構について図面に基づいて説明する。図１及び図２に示すようにトイレ１の後壁２側の中央位置に便器５が設置されており、一側の側壁３に手すり６、局所洗浄便座の操作部７、トイレットペーパ８、手洗い器９等が配置されている。尚、トイレ１は、使用者が便器５に着座した状態で背中側の壁を後壁２とし、前側の壁を前壁４と称することとする。後壁２の上部位置には本発明に係る昇降機構を適用した昇降式の収容棚１１が設置されている。この収容棚１１の前板１２は、後壁２から前方に突出して設けられた左右両側の支持体１３により支持されている。収容棚１４は、左右の支持体１３の間に昇降可能に配置されており、図示の上限位置において前面１４ｄに開口する開口部が前板１２により覆われて目隠しされている。
【００１９】
支持体１３は、図３及び図４に示すように上梁１５、下梁１６及び側板１７、前板１８からなる。これらの上梁１５、下梁１６は、角パイプ状をなし上下に所定間隔を存して平行にかつ後壁２と直角をなして前方に張り出し、各後端部がそれぞれ裏板１９と共に後壁２の上部に固定されている。そして、上梁１５、下梁１６の両側部に側板１７が固定され、前端部に前板１８が固定されている。即ち、支持体１３は、盤体をなす片持梁状をなしている。尚、図３は、分かり易くするために前板１２及び収容棚１４を透視して描いてある。
【００２０】
裏板１９には上端部及び略中央位置に横方向にフレーム２１，２２が平行に固定されており、これらのフレーム２１，２２の所定位置にスライドレール２３、ガイド２５，２５、支持フレーム２６が上下方向に垂直に配置されて固定されている。収容棚１４の上板１４ａの上面中央位置に支持部材２７の下端部が固定されており、この支持部材２７はスライダ２４に固定されている。スライダ２４は、スライドレール２３に沿って上下方向に垂直に移動可能とされている。また、収容棚１４の裏板１４ｃの裏面中央位置にガイド板２８が固定されており、両側部がガイド２５，２５により上下方向に摺動可能にガイドされている。これにより、収容棚１４は、スライドレール２３及びガイド２５に沿って左右に揺たり傾くことなく垂直に昇降可能とされている。
【００２１】
収容棚１４を昇降させるための昇降機構３１は、フレーム２１の一側端部に固定された駆動用のギヤードモータ３２と、支持フレーム２６の上下両端部に回転軸が水平にかつ回転自在に軸支された歯付プーリ３３，３４及びこれらの歯付プーリ３３，３４に掛けられた歯付ベルト（タイミングベルト）３５からなる駆動力伝達手段３６、及びこれらのギヤードモータ３２及び駆動力伝達手段３６と独立して設けられた定荷重ばね機構４１により構成されている。即ち、昇降機構３１は、儀ヤードモータ３２と定荷重ばね４１とのハイブリッドの構成とされている。ギヤードモータ３２の出力軸は、駆動力伝達手段３６の上側の歯付プーリ３３の回転軸に連結されている。また、収容棚１４の上板１４ａの後端部が歯付ベルト３５に固定されている。そして、ギヤードモータ３２の回転に伴い上側の歯付プーリ３３が回転し、これに伴い歯付ベルト３５が上下方向に移動して収容棚１４が昇降する。
【００２２】
裏板１９の上端部中央位置と収容棚１４の上板１４ａとの間にはギヤードモータ３２及び駆動力伝達手段３６と独立して定荷重ばね機構４１が設けられている。定荷重ばね機構４１は、裏板１９の上端中央位置に設けられたブラケット４２に回転軸が水平にかつ回転自在に軸支されたドラム４３と、一端がドラム４３に固定されて当該ドラム４３に巻回され、他端が収容棚１４の上板１４ａの上面中央後端部に固定された定荷重ばね、例えばコンストンバネ４４とにより構成されている。この定荷重ばね機構４１のコンストンバネ４４は、元に戻るトルク（ドラム４３に巻き戻るトルク（ばね力））が一定で、ストロークによって変化しない特徴を有するスプリングで、収容棚１４の昇降のフリーストップを可能としている。これにより、ギヤードモータ３２の出力を小さくすることが可能となり、小型・軽量化が図られ、ひいては昇降機構全体の小型化を達成できる。
【００２３】
スライダ２４の側部上端にはドグ４５が取り付けられており、支持フレーム２６の上下両端所定位置にドグ４５と接触可能に位置検出器、例えばリミットスイッチ４６，４７が取り付けられている。リミットスイッチ４６は、収容棚１４の上限位置を検出し、リミットスイッチ４７は、収容棚１４の下限位置を検出する。また、ガイド板２８の下端部２８ａは、収容棚１４の下板１４ｂの下面１４ｅから下方に延出しており、操作部４８が取り付けられている。この操作部４８には収容棚１４を昇降させるための上昇スイッチ４９、下降させるための下降スイッチ５０、及び電源スイッチ５１等が設けられている。これらの上昇スイッチ４９、下降スイッチ５０及び電源スイッチ５１等は前方に向けて、即ち使用者と向かい合うように配置されている。
【００２４】
また、裏板１９の上部所定位置にコントローラ５３が配設されている。コントローラ５３は、リミットスイッチ４６，４７及び操作部４８の上昇スイッチ４９、下降スイッチ５０、電源スイッチ５１からの信号を入力してギヤードモータ３２を制御する。
【００２５】
一方、前板１２の裏面の左右両側と左右の支持体１３の上部との間には、図３及び図４に示すように、逃し手段５５が設けられている。逃し手段５５は、収容棚１４の下方からの上昇に際してこの収容棚１４の前面１４ｄとの間で手挟みが生じたときにこの収容棚１４の前面１４ｄとの間の隙間を広げる方向に前板１２を逃がすためのもので、例えばヒンジ５６で構成されている。ヒンジ５６は、支持体１３の上梁１５の上部にその回転軸（回転中心）５６ａが前板１８の前面、即ち収容棚１４の前面１４ｄから所定距離ｄだけ後方に位置しかつ回転軸５６ａが上梁１５の上面から僅かに上方に位置して配置されている。
【００２６】
ヒンジ５６の一側の取付部５６ｂは、ブラケット５７により上梁１５に対して垂直をなして固定されており、他側の取付部５６ｃは、前側に水平に延出してブラケット５８により前板１２の裏面に固定されている。そして、前板１２は、支持体１３の前板１８と僅かな隙間を存して平行に自重により垂下している。ヒンジ５６は、回転軸５６ａ即ち回転中心が収容棚１４の前面１４ｄよりも後方に位置して配置されていることにより、収容棚１４の下方からの上昇に際してこの収容棚１４の前面１４ｄとの間で手挟みが生じたときにこの収容棚１４の前面１４ｄとの間の隙間を広げる方向に前板１２を逃がすことが可能となる。
【００２７】
前板１２は、上端部１２ａが略ギヤードモータ３２の取付高さに位置し、下端部１２ｂが収容棚１４を上限位置まで上昇させたときに当該収容棚１４の下面よりも僅かに下方に位置する程度とされている。これにより、前板１２は、収容棚を目隠しすると共に図４に２点鎖線で示すように図中反時計方向、即ち使用者の手前側に略水平位置まで回動可能とされている。
【００２８】
前板１２の下端部１２ｂは、図４に示すように角型形状をなしていても良く、或いは図５（ａ）〜図５（ｄ）に示すように下端部１２ｂの裏面１２ｃ側の縁部を１２ｄ〜１２ｇのように面取りしても良い。これにより、手挟みしたときに使用者の手を有効に保護することが可能となる。この場合、ヒンジ５６の回転軸５６ａが収容棚１４の前面１４ａよりも後方に位置していなくても前板１２が多少逃げ易くなり手挟みを或る程度防止する効果がある。
【００２９】
また、前板１２の裏面左右両側と左右の支持体１３の前板１８の下部との間に前板閉じ手段６１が設けられている。前板閉じ手段６１は、例えば図４に示すようにマグネット６２とマグネットキャッチ６３とにより構成されている。マグネットキャッチ６３は、支持体１３の前板１８の下梁１６の開口位置に設けられており、マグネット６２は、前板１２の裏面１２ｃにマグネットキャッチと対向して固定されている。そして、前板１２は、マグネット６２とマグネットキャッチ６３との吸着力（保持力）により保持されて揺動することが防止されている。
【００３０】
前板閉じ手段６１は、通常ではマグネット６２がマグネットキャッチ６３に吸着して前板１２を閉じた状態に保持しており、収容棚１４を上昇させる際に前板１２と収容棚１４との間に手挟みが生じたときに逃し手段５５によって収容棚１４と前板１２との間を広げることが可能な程度の保持力（磁気力）で前板１２を閉じるように設定されている。
【００３１】
続いて、以下に本実施形態に係る収容棚の昇降機構の作用について説明する。図１及び図２に示すように収容棚１４は、上限位置にあるときには前板１２により前面１４ｄが覆われて目隠しされている。前板１２の下端部は収容棚１４の下面１４ｅよりも僅かに下方に位置していることで、収容棚１４が完全に目隠しされて見栄えの向上が図られている。この上限位置においてギヤードモータ３２は停止しており、駆動力伝達手段３６を介して収容棚１４を当該上限位置に保持している。また、定荷重ばね機構４１のコンストンバネ４４がドラム４３に巻き戻された状態になっており、収容棚１４を上限位置にフリーストップさせて支持している。
【００３２】
これにより、ギヤードモータ３２や駆動力伝達手段３６に何らかの不具合、例えば歯付ベルト３５が破断して収容棚１４の支持力が失われた（解放された）場合でも定荷重ばね４４により収容棚１４が支持（フリーストップ）されて仮に収容棚１４に収容物がかなり収容されていても収容棚１４がいきなり自然落下することが防止される。また、定荷重ばね４４が例えば破断して収容棚１４を支持するばね力（フリーストップの能力）が失われた場合、ギヤードモータ３２は、内部磁気抵抗により収容棚１４が下降する方向の回転力が抑えられて収容棚１４を支持し、仮に収容棚１４に収容物がかなり収容されていても収容棚１４がいきなり自然落下することが防止される。
【００３３】
収容棚１４内に例えばトイレットペーパ等のトイレット用品を収納する場合、使用者が下降スイッチ５０を押すとギヤードモータ３２が回転して収納棚１４を下降させる。そして、収容棚１４の下降に伴い定荷重ばね機構４１のコンストンバネ４４がばね力（トルク）に抗してドラム４３から引き出される。コンストンバネ４４は、ドラム４３から引き出されるときに収容棚１４の下降を抑制する制動力として作用し、収容棚１４が急激に下降することを防止する。
【００３４】
収容棚１４の下降の際にギヤードモータ３２が故障したり或いは駆動力伝達手段３６の歯付ベルト３５が破断して収容棚１４の駆動力が解放された場合、コンストンバネ４４がフリーストップして収容棚１４を支持し、収容棚１４がいきなり自然落下することを防止する。また、コンストンバネ４４が破断して収容棚１４を支持するばね力（フリーストップの能力）が失われた場合、ギヤードモータ３２の内部の磁気抵抗により収容棚１４が下降する方向のギヤードモータ３２の回転が抑えられ、駆動力伝達手段３６を介して収容棚１４を支持してこの収容棚１４がいきなり自然落下することを防止する。
【００３５】
収容棚１４が下限位置まで下降すると、ドグ４５がリミットスイッチ４７に接触してリミットスイッチ４７が作動する。これにより、ギヤードモータ３２が停止し、収容棚１４が図６及び図７に示す下限位置に停止する。収容棚１４は、図７に示すように複数の棚が設けられており、トイレットペーパや清掃用品、生理用品等のトイレ用品を収容可能とされている。
【００３６】
使用者が収容棚１４に例えばトイレットペーパ等を収納した後上昇スイッチ４９を押すとギヤードモータ３２が回転して当該収容棚１４が上昇を始める。昇降機構３１は、一度上昇スイッチ４９を押すと自動的に収容棚１４が上昇する構成とされているため、収容棚１４に片方の手を掛けたまま誤って他方の手で上昇スイッチ４９を押して片方の手が前板１２と収容棚１４との間に挟まれるいわゆる手挟みが生じるおそれがある。また、収容棚１４の上昇中に目を離す可能性が高く、前板１２と収容棚１４との間に収容物を挟むおそれが高い。
【００３７】
特にトイレ等の狭い場所に設置されている場合、図１及び図２に示すように昇降式収容棚１１が便器５の後方の後壁２に設置されているために便器５の手前から身を乗り出すような姿勢で収容棚１４にトイレットペーパ等を収納するようになる。このため、収容棚１４に手を掛けた状態で収納を行う場合が多く、前板１２と収容棚１４との間に手や指を挟み易い状況にある。
【００３８】
そして、使用者が、例えば収容棚１４に片方の手を掛けたまま誤って他方の手で上昇スイッチ４９を押して図８に示すように片方の手が前板１２と収容棚１４との間に挟まれるいわゆる手挟みが生じた場合、逃し手段５５が前板１２と収容棚１４の前面１４ｄとの間の隙間を広げる方向（手前側）に矢印で示すように前板１２を逃がす。これにより、使用者は、挟まれた手や指先等を容易に引き出すことができる。使用者が手挟みに気が付いたときに電源スイッチ５１を押すとギヤードモータ３２が停止し、収容棚１４が当該位置に停止する。尚、この場合、必ずしも電源スイッチ５１を押して収容棚１４を停止させる必要はない。
【００３９】
また、収容棚１４の上昇中に図９に示すように収容棚１４に収納した例えばトイレットペーパ収納袋７０が倒れて前板１２と収容棚１４との間に挟まれた場合、逃し手段５５が前板１２と収容棚１４の前面１４ｄとの間の隙間を広げる方向に前板１２を逃がす。これにより、トイレットペーパの潰れや変形等が防止される。そして、使用者が、トイレットペーパ収納袋７０が挟まれたことに気が付いて電源スイッチ５１を押すとギヤードモータ３２が停止し、収容棚１４がこの位置に停止する。これにより、ギヤードモータ３２の過負荷が防止される。
【００４０】
そして、トイレットペーパ収納袋７０等が挟まれて収容棚１４を停止させた場合、使用者が前板１２を手前側に開けて収容棚１４内に押し込んで納めることができる。また、この停止位置では巧く収容棚１４内に納めることができない場合には、下降スイッチ５０を押して収容棚１４を下限位置まで下降させて収納し直した後再び上昇スイッチ４９を押せば良い。
【００４１】
収容棚１４が上限位置まで上昇してドグ４５がリミットスイッチ４６を作動させると、ギヤードモータ３２が停止し、収容棚１４が当該上限位置に停止保持される。定荷重ばね機構４１のコンストンバネ４４は、収容棚１４の上昇に伴いドラム４３に巻き戻り、このときのばね力（トルク）が収容棚１４を引き上げる作用をする。即ち、コンストンバネ４４は、収容棚１４の上昇時の荷重を軽減し、これにより、ギヤードモータ３２の負荷が軽減される。
【００４２】
収容棚１４の上昇の際にギヤードモータ３２が故障したり或いは駆動力伝達手段３６の歯付ベルト３５が破断して収容棚１４の駆動力が解放されたような場合、コンストンバネ４４がフリーストップして収容棚１４を支持し、この収容棚１４がいきなり自然落下することを防止する。また、反対にコンストンバネ４４が破断して収容棚１４を支持するばね力（フリーストップの能力）が失われた場合は、ギヤードモータ３２が駆動力伝達手段３６を介して収容棚１４を支持してこの収容棚１４がいきなり自然落下することを防止する。
【００４３】
コンストンバネ（定荷重ばね）４４は、収容棚１４の下降時には収容棚１４の自重による下降を抑制する制動力として作用し、収容棚１４の上昇時にはばね力（トルク）により収容棚１４を引き上げる作用をすることにより、収容棚１４の昇降時の荷重を軽減している。これにより、ギヤードモータ３２のトルクを有効に補助することができ、この分だけギヤードモータ３２のトルクを小さくすることが可能となり、ギヤードモータ３２の小型・軽量化が図られる。
【００４４】
上述したように、収容棚は通常の状態において昇降機構により上限位置に上昇されており、開口部が前板により目隠しされて見栄え良くされている。昇降機構は、モータ及び当該モータの駆動力を収容棚に伝達して昇降させる駆動力伝達手段と、これらのモータ及び駆動力伝達手段と独立して配置され上限位置と下限位置との間で収容棚を支持する定荷重ばねとによりハイブリッドの構成とされており、上限位置においてモータは停止しており、駆動力伝達手段を介して収容棚を上限位置に保持している。同時に定荷重ばねが収容棚を支持している。
【００４５】
これにより、モータや駆動力伝達手段に何らかの不具合が生じて収容棚の支持力が低下したり支持できなくなったりした場合でも、定荷重ばねにより収容棚が支持されていきなり自然落下することが防止される。また、定荷重ばねに不具合が生じてばね力（フリーストップの能力）が低下し或いは失われた場合でもモータや駆動力伝達手段により収容棚が支持されて自然落下することが防止される。
【００４６】
また、定荷重ばねが破断して収容棚の支持力（フリーストップの能力）が失われた場合、モータ内の磁気抵抗により収容棚が下降する方向の回転力が抑えられて駆動力伝達手段を介して収容棚を支持するように昇降機構を構成したことにより、収容棚がいきなり自然落下することを防止することが可能となる。
【００４７】
また、収容棚の下降する際にモータから駆動力伝達手段を介して収容棚に伝達させる駆動力が解放されたときに定荷重ばねにより前記収容棚を支持するように昇降機構を構成したことにより、収容棚がいきなり自然落下することを防止することが可能となる。
【００４８】
また、昇降機構にモータと定荷重ばねを併用することにより収容棚を昇降させるために必要なモータのトルクを下げることが可能となり、モータの小型化を図ること可能となり、コストの低減が図られる。また、モータと併用することにより定荷重ばねのスペックを小さくすることができ、定荷重ばねの小型・軽量化及びコストの低減が図られる。
【００４９】
更に、モータの小型化と定荷重ばねの小型化に伴い昇降機構を小型化することが可能となり、この分収容棚の収納スペースを広くすることができる。また、昇降機構を小型化することで収容棚を壁面の上部位置に配置することが可能となり、スペースの有効利用を図ることが可能となると共にモータの音を小さくすることができ、室内の低騒音化を図ることが可能となる。特にトイレ等の狭い空間におけるスペースの有効利用やモータ音による耳障りを少なくすることが可能となる。
【００５０】
尚、上記実施形態においては駆動力伝達手段３６を歯付プーリ３３，３４と歯付ベルト３５により構成した場合について記述したが、これに限るものではなく他の例えば、スプロケットとチェーン、或いはボールねじ等により構成しても良い。また、前板１２と支持体１３との間に前板１２の開きを抑制する前板開き抑制機構を設けても良い。前板開き抑制機構として、例えば前板１２の裏面と支持体１３の上部との間に鎖やコイルスプリング、或いはリンク等を取り付けることが考えられる。
【００５１】
更に、上記実施形態においては昇降式の収容棚１４をトイレに設置してトイレットペーパ等のトイレ用品を収納する場合について記述したが、これに限るものではなく他の、例えば台所に設置して食器等を収納するようにしても良く、或いは書斎や居間等に設置して、例えば書籍やビデオテープ、ビデオディスク等を収容するようにしても良い。また、玄関に設置して季節に応じて冬用の靴と夏用の靴を交互に保管するのに用いても良い。
【図面の簡単な説明】
【００５２】
【図１】本発明の一実施形態に係る昇降機構を適用した収納棚をトイレの後壁に設置した場合の正面図である。
【図２】図１に示したトイレの側面図である。
【図３】図１に示した収容棚の前板及び収容棚を透視的に描いて収容棚の後方に配置されている昇降機構を示した説明図である。
【図４】図３に示した収容棚の昇降機構の矢線IV―IVに沿う断面図である。
【図５】図４に示した前板の下端部形状の一例を示す説明図である。
【図６】図２に示した収容棚を下限位置まで下降させた状態の説明図である。
【図７】図６に示した収容棚の正面図である。
【図８】図７に示した収容棚を下限位置から上昇させる際に使用者が手挟みした状態の説明図である。
【図９】図７に示した収容棚を下限位置から上昇させる際に収容棚に収納した収納物が飛び出して前板との間に挟まれた状態の説明図である。
【符号の説明】
【００５３】
１    トイレ
２    後壁
３    側壁
４    前壁
５    便器
６    手すり
７    局所洗浄便座の操作部
８    トイレットペーパ
９    手洗い器
１１    収容棚
１２    前板
１２ａ    上端部
１２ｂ    下端部
１２ｃ    裏面
１２ｄ，１２ｅ，１２ｆ，１２ｇ    下端部の面取部
１３    支持体
１４    収容棚
１４ａ    上板
１４ｂ    下板
１４ｃ    裏板
１４ｄ    前面
１４ｅ    下面
１５    上梁
１６    下梁
１７    側板
１８    前板
１９    裏板
２１，２２    フレーム
２３    スライドレール
２４    スライダ
２５    ガイド
２６    支持フレーム
２７    支持部材
２８    ガイド板
２８ａ    下端部
３１    昇降機構
３２    ギヤードモータ
３３，３４    歯付プーリ
３５    歯付ベルト
３６    駆動力伝達手段
４１    定荷重ばね機構
４２    ブラケット
４３    ドラム
４４    コンストンバネ（定荷重ばね）
４５    ドグ
４６，４７    リミットスイッチ（位置検出器）
４８    操作部
４９    上昇スイッチ
５０    下降スイッチ
５１    電源スイッチ
５３    コントローラ
５５    逃し手段
５６    ヒンジ
５６ａ    回転軸（回転中心）
５６ｂ，５６ｃ    取付部
５７，５８    ブラケット
６１    前板閉じ手段
６２    マグネット
６３    マグネットキャッチ
７０    トイレットペーパ収納袋
ｄ    ヒンジの回転軸（回転中心）と収容棚の前面からの距離
【図１】
2008229189.tif 000003
【図２】
2008229189.tif 000004
【図３】
2008229189.tif 000005
【図４】
2008229189.tif 000006
【図５】
2008229189.tif 000007
【図６】
2008229189.tif 000008
【図７】
2008229189.tif 000009
【図８】
2008229189.tif 000010
【図９】
2008229189.tif 000011